(57)【要約】【課題】ウェアラブルカメラや車載カメラにより撮像した映像データを取扱う上での利便性を向上し、広範な現場の状況を映像データとして録画する。【解決手段】ウェアラブルカメラシステムは、ユーザが装着可能なウェアラブルカメラと、ユーザが乗車する車両に搭載され、かつ相互に接続された車載レコーダ及び車載カメラとを含む。ウェアラブルカメラと車載レコーダとの間で通信が行われ、ウェアラブルカメラが撮像エリアの映像を撮像し、車載カメラが撮像エリアの映像を撮像する。車載レコーダは、ウェアラブルカメラからの録画開始要求に応じて、車載カメラにより撮像された撮像エリアの第１映像データの録画を行い、録画と同時に録画開始指示をウェアラブルカメラに送信する。ウェアラブルカメラは、録画開始指示の受信後に、ウェアラブルカメラにより撮像された撮像エリアの第２映像データの録画を開始する。【選択図】図１４
2016219964.tif 000002
【特許請求の範囲】
【請求項１】
ユーザが装着可能なウェアラブルカメラと、前記ユーザが乗車する車両に搭載され、かつ相互に接続された車載レコーダ及び車載カメラとを含むウェアラブルカメラシステムであって、
前記ウェアラブルカメラは、
前記車載レコーダとの間で通信する第１通信部と、
撮像エリアの映像を撮像する第１撮像部と、
前記第１撮像部により撮像された前記撮像エリアの第１映像データを第１メモリに録画する第１録画部と、を有し、
前記車載レコーダは、
前記ウェアラブルカメラとの間で通信する第２通信部と、
前記車載カメラにより撮像された前記撮像エリアの第２映像データを第２メモリに録画する第２録画部と、を有し、
前記車載レコーダは、録画開始要求があると、前記第２映像データの録画開始を前記第２録画部に指示し、前記指示と同時に録画開始指示を前記ウェアラブルカメラに送信し、
前記ウェアラブルカメラは、前記録画開始指示を受信した後に、前記第１映像データの録画を開始する、
ウェアラブルカメラシステム。
【請求項２】
請求項１に記載のウェアラブルカメラシステムであって、
前記車載レコーダは、録画停止要求があると、前記第２映像データの録画停止を前記第２録画部に指示し、前記指示と同時に録画停止指示を前記ウェアラブルカメラに送信し、
前記ウェアラブルカメラは、前記録画停止指示を受信した後に、前記第１映像データの録画を停止する、
ウェアラブルカメラシステム。
【請求項３】
請求項１に記載のウェアラブルカメラシステムであって、
前記録画開始指示には、前記車載レコーダにおける前記録画開始指示の送信時刻が含まれ、
前記ウェアラブルカメラは、
前記第１映像データに関する属性情報の付与操作を受け付ける操作部と、
前記付与操作があると、前記第１映像データの識別情報と前記属性情報と前記第１映像データの録画に対応する前記録画開始指示の送信時刻とを対応付けて前記第１メモリに保存する第１制御部と、を更に有し、
前記車載レコーダは、
前記第２映像データの識別情報と前記第２映像データの録画に対応する前記録画開始指示の送信時刻と同一の時刻とを対応付けて前記第２メモリに保存する第２制御部、を更に有する、
ウェアラブルカメラシステム。
【請求項４】
請求項１に記載のウェアラブルカメラシステムであって、
前記ウェアラブルカメラは、
前記第１映像データの録画の開始を指示する録画スイッチ、を更に有し、
前記ユーザの前記録画スイッチの押下操作に応じて、前記録画開始要求を前記車載レコーダに送信する、
ウェアラブルカメラシステム。
【請求項５】
請求項１に記載のウェアラブルカメラシステムであって、
前記車両は、
緊急状態を報知する報知ランプ、を有し、
前記車載レコーダは、前記報知ランプの点灯開始に応じて、前記録画開始要求を取得する、
ウェアラブルカメラシステム。
【請求項６】
ユーザが装着可能なウェアラブルカメラと、前記ユーザが乗車する車両に搭載され、かつ相互に接続された車載レコーダ及び車載カメラとを含むウェアラブルカメラシステムにおける録画制御方法であって、
前記ウェアラブルカメラと前記車載レコーダとの間で通信する通信処理と、
前記ウェアラブルカメラにより撮像エリアの映像を撮像し、前記車載カメラにより前記撮像エリアの映像を撮像する撮像処理と、
録画開始要求に応じて、前記車載カメラにより撮像された前記撮像エリアの第１映像データの録画の開始を指示し、前記指示と同時に録画開始指示を前記ウェアラブルカメラに送信する録画制御処理と、
前記指示に応じて、前記第１映像データの録画を前記車載レコーダにおいて開始し、更に、前記録画開始指示の受信後に、前記ウェアラブルカメラにより撮像された前記撮像エリアの第２映像データの録画を前記ウェアラブルカメラにおいて開始する録画処理と、を実行する、
録画制御方法。
【発明の詳細な説明】
【技術分野】
【０００１】
本発明は、ユーザの身体又は着用した衣服等に装着可能なウェアラブルカメラを用いたウェアラブルカメラシステム及び録画制御方法に関する。
【背景技術】
【０００２】
近年、例えば警察官や警備員の業務を支援するために、警察官や警備員に装着されて使用されるウェアラブルカメラの導入が検討されている。
【０００３】
ウェアラブルカメラを用いた先行技術として、例えば特許文献１に記載されたウェアラブル監視カメラシステムがある。特許文献１のウェアラブル監視カメラシステムは、身体に装着するＣＣＤカメラ手段及びマイク手段からの映像信号及び音声信号、並びに内蔵のクロック手段からの日時情報信号を、身体に装着するポーチ手段に収納するエンコードサーバー手段によりエンコードし、また文字情報に変換した日時情報を撮像した映像にスーパーインポーズして記録可能な構成を有している。
【先行技術文献】
【特許文献】
【０００４】
【特許文献１】特開２００６−１４８８４２号公報
【発明の概要】
【発明が解決しようとする課題】
【０００５】
特許文献１のウェアラブル監視カメラシステムでは、例えば警察官や警備員が装着して映像を録画する場合には、警察官や警備員が録画ボタンを押下することで、映像データの録画を開始することが想定される。
【０００６】
例えば特許文献１の構成を警察官の緊急対応等に適用した場合を想定すると、事後の現場検証等に役立てられるように多くの情報を残すべく、広範な事件現場の状況を録画することが必要となるという課題がある。この課題を解決するためには、警察官が特許文献１に記載のウェアラブルカメラ監視カメラシステムを装着しただけでは、広範な事件現場の状況を録画するという観点では、不十分な面がある。特許文献１では、１つのウェアラブルカメラ監視カメラシステムは１人の警備員により使用されるものであるため、１つのウェアラブルカメラ監視カメラシステムの使用では、広範な事件現場の録画という観点では限界がある。
【０００７】
本発明は、上記事情に鑑みてなされたものであり、ウェアラブルカメラや車載カメラにより撮像した映像データを取扱う上での利便性を向上し、広範な現場の状況を映像データとして録画するウェアラブルカメラシステム及び録画制御方法を提供する。
【課題を解決するための手段】
【０００８】
本発明は、ユーザが装着可能なウェアラブルカメラと、前記ユーザが乗車する車両に搭載され、かつ相互に接続された車載レコーダ及び車載カメラとを含むウェアラブルカメラシステムであって、前記ウェアラブルカメラは、前記車載レコーダとの間で通信する第１通信部と、撮像エリアの映像を撮像する第１撮像部と、前記第１撮像部により撮像された前記撮像エリアの第１映像データを第１メモリに録画する第１録画部と、を有し、前記車載レコーダは、前記ウェアラブルカメラとの間で通信する第２通信部と、前記車載カメラにより撮像された前記撮像エリアの第２映像データを第２メモリに録画する第２録画部と、を有し、前記車載レコーダは、録画開始要求があると、前記第２映像データの録画開始を前記第２録画部に指示し、前記指示と同時に録画開始指示を前記ウェアラブルカメラに送信し、前記ウェアラブルカメラは、前記録画開始指示を受信した後に、前記第１映像データの録画を開始する、ウェアラブルカメラシステムである。
【０００９】
また、本発明は、ユーザが装着可能なウェアラブルカメラと、前記ユーザが乗車する車両に搭載され、かつ相互に接続された車載レコーダ及び車載カメラとを含むウェアラブルカメラシステムにおける録画制御方法であって、前記ウェアラブルカメラと前記車載レコーダとの間で通信する通信処理と、前記ウェアラブルカメラにより撮像エリアの映像を撮像し、前記車載カメラにより前記撮像エリアの映像を撮像する撮像処理と、録画開始要求に応じて、前記車載カメラにより撮像された前記撮像エリアの第１映像データの録画の開始を指示し、前記指示と同時に録画開始指示を前記ウェアラブルカメラに送信する録画制御処理と、前記指示に応じて、前記第１映像データの録画を前記車載レコーダにおいて開始し、更に、前記録画開始指示の受信後に、前記ウェアラブルカメラにより撮像された前記撮像エリアの第２映像データの録画を前記ウェアラブルカメラにおいて開始する録画処理と、を実行する、録画制御方法である。
【発明の効果】
【００１０】
本発明によれば、ウェアラブルカメラや車載カメラにより撮像した映像データを取扱う上での利便性を向上でき、広範な現場の状況を映像データとして録画できる。
【図面の簡単な説明】
【００１１】
【図１】本実施形態のウェアラブルカメラシステムの概要とウェアラブルカメラにより撮像した映像データの使用に関する説明図
【図２】本実施形態のウェアラブルカメラを装着した警察官がパトカーに乗車して現場へ向かうイメージを示した模式図
【図３】本実施形態のウェアラブルカメラの内部構成の一例を示すブロック図
【図４】本実施形態のウェアラブルカメラを警察官が装着した状態の一例を示す図
【図５】本実施形態のウェアラブルカメラの外観の一例を示す正面図
【図６】本実施形態のウェアラブルカメラの外観の一例を示す左側面図
【図７】本実施形態のウェアラブルカメラの外観の一例を示す右側面図
【図８】本実施形態の車載レコーダの内部構成の一例を示すブロック図
【図９】本実施形態の車載管理ＰＣの内部構成の一例を示すブロック図
【図１０】属性選択スイッチの状態と属性情報との対応関係の一例を示す図
【図１１】録画データのデータ構造の一例を示す図
【図１２】本実施形態のウェアラブルカメラが保持する録画映像リストのデータ構造の一例を示す図
【図１３】本実施形態の車載レコーダが保持する録画映像リストのデータ構造の一例を示す図
【図１４】本実施形態のウェアラブルカメラシステムにおける録画開始及び録画停止の動作手順の第１例を詳細に説明するシーケンス図
【図１５】本実施形態のウェアラブルカメラシステムにおける録画開始及び録画停止の動作手順の第２例を詳細に説明するシーケンス図
【図１６】本実施形態のウェアラブルカメラにおける属性情報の付与動作手順の一例を詳細に説明するフローチャート
【発明を実施するための形態】
【００１２】
以下、適宜図面を参照しながら、本発明に係るウェアラブルカメラシステム及び録画制御方法を具体的に開示した実施形態（以下、「本実施形態」という）を詳細に説明する。但し、必要以上に詳細な説明は省略する場合がある。例えば既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１３】
図１は、本実施形態のウェアラブルカメラシステム１００の概要とウェアラブルカメラ１０により撮像した映像データの使用に関する説明図である。図２は、本実施形態のウェアラブルカメラ１０を装着した警察官７がパトカー６に乗車して現場８へ向かうイメージを示した模式図である。
【００１４】
本実施形態のウェアラブルカメラ１０は、ユーザ（例えば警察官（Officer）７、警備員）が身体又は着用した衣服等に装着可能な撮像装置である。ウェアラブルカメラ１０は、ユーザが乗車する車両（例えばパトカー等のパトロール又は警備用に用いる車両）に搭載した車載カメラシステム６０、ユーザ組織内のバックエンドシステム１００Ｂ内のサーバＳＶ１，ＳＶ２，ＳＶ３等との間で通信する通信機能を有する。
【００１５】
ウェアラブルカメラシステム１００において、ウェアラブルカメラ１０、車載カメラシステム６０がフロントエンドシステム１００Ａを構成し、ネットワーク上の管理ソフトウェア７０、警察署５内のＰＣである署内ＰＣ７１、サーバＳＶ１，ＳＶ２，ＳＶ３がバックエンドシステム１００Ｂを構成する。管理ソフトウェア７０は、例えば署内ＰＣ７１又はサーバＳＶ１〜ＳＶ３により実行される。
【００１６】
本実施形態のウェアラブルカメラシステム１００の一例として、警察署５において使用される場合を想定して説明する。この場合、警察官７がウェアラブルカメラ１０を使用して撮像し、例えば警察署５内のバックエンドシステム１００Ｂに撮像した映像データを転送して蓄積する。なお、ウェアラブルカメラ１０は、ユーザが警察官７に限定されず、その他様々な事業所（例えば警備会社）において使用されてもよい。本実施形態では、ユーザとして警察官７を主に例示する。
【００１７】
フロントエンドシステム１００Ａは、事件又はパトロールに関する現場８の最前線に出動する警察官７が装着可能なウェアラブルカメラ１０と、パトカー６内に設置された車載カメラシステム６０とを含む構成である。車載カメラシステム６０は、車載カメラ６１、車載レコーダ６２、車載管理ＰＣ６３、通信ユニット等を有し、映像管理システムを構成する（図２参照）。
【００１８】
車載カメラ６１は、パトライト（登録商標）ＰＴＬが取り付けられたパトカー６内の所定位置に配備され、パトカー６の周囲を常時又は所定のタイミングで映像を撮像する撮像部（不図示）を備える。車載カメラ６１は、例えばパトカー６の前方を撮像するためのフロント用カメラ（不図示）と、パトカー６内のバックシート（例えば容疑者を座らせているシート）を撮像するためのバックシート用カメラ（不図示）とを含む。車載カメラ６１により撮像された映像データは、例えば録画の操作が行われると車載レコーダ６２のメモリ（例えば後述するＳＳＤ１１１）にて蓄積される。車載カメラ６１は、複数台設けられてもよい。フロント用カメラやバックシート用カメラには、パトカー６の車内外の音を収音するマイク（不図示）が備え付けられてもよい。この場合、パトカー６内の警察官７又は容疑者の発する音声も収音（録音）可能である。
【００１９】
車載レコーダ６２は、車載カメラ６１により撮像された映像データを蓄積する。また、車載レコーダ６２は、車載カメラ６１により撮像された映像データに対して属性情報などのメタ情報を付与して管理してもよい。車載レコーダ６２は、ウェアラブルカメラ１０により撮像された映像データを取得して蓄積してもよい。取得された映像データ又は蓄積される映像データには、属性情報などのメタ情報が付与されていてもよい。
【００２０】
車載管理ＰＣ６３は、パトカー６内に固定的に搭載されるＰＣでもよいし、パトカー６外にも携帯可能なＰＣ、スマートフォン、携帯電話機、タブレット端末、ＰＤＡ（Personal Digital Assistant）等の無線通信装置でもよい。車載管理ＰＣ６３は、図示しない管理ソフトウェアを実行することで、車載カメラシステム６０とウェアラブルカメラ１０との連携を可能にする。また、車載管理ＰＣ６３のＵＩ（User Interface）（例えば操作部、表示部、音声出力部）は、車載レコーダ６２を操作するためのＵＩとしても用いられる。また、車載管理ＰＣ６３は、警察官７の入力操作に応じて、パトライト（登録商標）ＰＴＬの点灯及び消灯を制御してもよい。
【００２１】
警察官７は、所定の用件（例えばパトロール）で警察署５から出動する際、例えばウェアラブルカメラ１０を装着し、車載カメラシステム６０を搭載したパトカー６に乗車して現場８に向かう（図２参照）。
【００２２】
フロントエンドシステム１００Ａにおいて、例えばパトカー６が到着したパトロールの現場８の映像を車載カメラシステム６０の車載カメラ６１により撮像し、警察官７がパトカー６から降車して現場８の映像（言い換えると、車載カメラ６１が撮像した映像データの画角とは異なるアングルを画角として含む現場８の映像データ）をウェアラブルカメラ１０により撮像する。ウェアラブルカメラ１０が撮像した動画又は静止画の映像データは、例えばウェアラブルカメラ１０のメモリ、車載カメラシステム６０の車載レコーダ６２又は車載管理ＰＣ６３のメモリに保存される。
【００２３】
ウェアラブルカメラ１０は、ウェアラブルカメラ１０のメモリ等から、ウェアラブルカメラ１０により撮像された映像データを含む各種データを、バックエンドシステム１００Ｂに転送（アップロード）する。車載カメラシステム６０（例えば車載レコーダ６２）は、車載カメラシステム６０のメモリ等から、車載カメラ６１により撮像された映像データを含む各種データを、バックエンドシステム１００Ｂに転送（アップロード）する。
【００２４】
バックエンドシステム１００Ｂへのデータ転送は、例えば現場８から無線通信により接続して行うか、或いはパトロールが終了して警察署５に戻った際に、有線通信、無線通信、又は手動（例えば記憶媒体の持ち運び）により行う。バックエンドシステム１００Ｂは、警察署５内又は他の場所に設置されたサーバＳＶ１〜ＳＶ３と、フロントエンドシステム１００Ａと通信するための管理ソフトウェア７０と、署内ＰＣ７１とを含む。
【００２５】
サーバＳＶ１〜ＳＶ３は、サーバＳＶ１〜ＳＶ３の内部又は外部にＨＤＤ（Hard Disk Drive）、ＳＳＤ（Solid State Drive）等によるストレージを備える。サーバＳＶ１〜ＳＶ３は、フロントエンドシステム１００Ａから転送された映像データ及び他のデータを、サーバＳＶ１〜ＳＶ３に蓄積する。サーバＳＶ１〜ＳＶ３は、例えばウェアラブルカメラ１０又は車載カメラシステム６０（例えば車載レコーダ６２）から転送された映像データを受信し、ＨＤＤ等のストレージに保存する。
【００２６】
バックエンドシステム１００Ｂに蓄積された映像データは、例えば警察署５内の関係部署の担当者により事件の操作・検証等に利用され、必要に応じて、所定の記憶媒体（例えばＤＶＤ：Digital Versatile Disk）に映像データがコピーされて、所定のシーン（例えば裁判）において証拠品として提出される。本実施形態では、警察官７が装着したウェアラブルカメラ１０を用いて、現場８の証拠映像をより的確に取得及び保存することが可能になっている。
【００２７】
警察官７が警察署５から現場８へ出動し、ウェアラブルカメラ１０を用いる際には、警察官７の識別情報（例えばOfficer ID）、警察官が使用するウェアラブルカメラ１０の識別情報（例えばCamera ID）、警察官７が使用するパトカー６の識別情報（例えばCar ID）等を、署内ＰＣ７１等を用いて設定登録する。これにより、サーバＳＶ１〜ＳＶ３に蓄積された映像データについて、いつ、どの警察官がどのカメラを用いて撮像した映像であるかを明確に区別できる。
【００２８】
警察官７やウェアラブルカメラ１０の設定登録は、例えば警察署５内の担当者や出動する警察官７が署内ＰＣ７１の操作部（不図示）を操作し、署内ＰＣ７１が管理ソフトウェア７０を実行することで行われる。この設定登録では、上記Officer ID、Camera ID、Car ID以外の情報が署内ＰＣ７１の操作部を介して入力されてもよい。
【００２９】
つまり、管理ソフトウェア７０は、例えば警察官７の人員を管理するためのアプリケーション、パトカー６等の配車を管理するためのアプリケーション、ウェアラブルカメラ１０の持ち出しを管理するためのアプリケーションを含む。また、管理ソフトウェア７０は、例えばサーバＳＶ１〜ＳＶ３に蓄積された複数の映像データから、属性情報に基づいて特定の映像データを検索し、抽出するためのアプリケーションを含む。
【００３０】
また、警察官７がパトカー６へ乗車した際には、車載カメラシステム６０に対して警察官７がログイン可能である。このログインの際には、例えば車載管理ＰＣ６３の操作部を操作して、警察署５内での設定登録と同様に、Officer ID、Camera ID、その他の情報を入力する。入力されたOfficer ID、Camera ID、その他の情報は、例えば車載レコーダ６２に保持される。
【００３１】
車載カメラシステム６０に対して警察官７がログインすると、警察官７が車載カメラシステム６０を使用することが許可される。車載カメラシステム６０と警察官７が所持するウェアラブルカメラ１０との連携も、ログインした後に可能となってもよい。例えばウェアラブルカメラ１０が撮像した映像データを車載カメラシステム６０（例えば車載レコーダ６２）へ送信して、警察官７が車載管理ＰＣ６３により確認でき、車載カメラシステム６０（例えば車載レコーダ６２）がウェアラブルカメラ１０へ各種設定を指示できる。
【００３２】
図３は、本実施形態のウェアラブルカメラ１０の内部構成の一例を示すブロック図である。図４は、本実施形態のウェアラブルカメラ１０を警察官７が装着した状態を示す模式図である。図５は、本実施形態のウェアラブルカメラ１０の外観の一例を示す正面図である。図６は、本実施形態のウェアラブルカメラ１０の外観の一例を示す左側面図である。図７は、本実施形態のウェアラブルカメラ１０の外観の一例を示す右側面図である。
【００３３】
図３に示すように、ウェアラブルカメラ１０は、撮像部１１と、ＧＰＩＯ１２（General Purpose Input/Output）と、ＲＡＭ（Random Access Memory）１３と、ＲＯＭ（Read Only Memory）１４と、記憶部１５とを備える。ウェアラブルカメラ１０は、ＥＥＰＲＯＭ（Electrically Erasable Programmable ROM）１６と、ＲＴＣ（Real Time Clock）１７と、ＧＰＳ（Global Positioning System）１８と、を備える。ウェアラブルカメラ１０は、ＭＣＵ（Micro Controller Unit）１９と、通信部２１と、ＵＳＢ（Universal Serial Bus）２２と、コンタクトターミナル２３と、電源部２４と、バッテリ２５と、を備える。
【００３４】
ウェアラブルカメラ１０は、操作入力部の一例として、録画スイッチＳＷ１と、スナップショットスイッチＳＷ２と、属性情報付与スイッチＳＷ３と、属性選択スイッチＳＷ４と、通信モードスイッチＳＷ５と、インジケータスイッチＳＷ６と、を備える。ウェアラブルカメラ１０は、状態表示部の一例として、ＬＥＤ（Light Emitting Diode）２６ａ，２６ｂ，２６ｃと、バイブレータ２７と、を備える。
【００３５】
撮像部１１は、例えば撮像レンズ１１ａ（図５参照）と、ＣＣＤ（Charge Coupled Device）型イメージセンサ又はＣＭＯＳ（Complementary Metal Oxide Semiconductor）型イメージセンサ等による固体撮像素子と、を有する。撮像部１１は、撮像により得られた被写体の映像データをＭＣＵ１９に出力する。
【００３６】
ＧＰＩＯ１２は、パラレルインタフェースであり、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６、ＬＥＤ２６ａ〜２６ｃ及びバイブレータ２７と、ＭＣＵ１９との間で信号を入出力する。また、ＧＰＩＯ１２には、例えば各種センサ（例えば加速度センサ）が接続される。
【００３７】
ＲＡＭ１３は、例えばＭＣＵ１９の動作において使用されるワークメモリである。ＲＯＭ１４は、例えばＭＣＵ１９を制御するためのプログラム及びデータを予め記憶するメモリである。
【００３８】
記憶部１５は、例えばＳＤメモリ等の記憶媒体により構成され、撮像部１１にて撮像して得られた映像データを記憶する。記憶部１５としてＳＤメモリを用いる場合、ウェアラブルカメラ１０の筐体本体に対して取付け及び取外しが可能である。
【００３９】
ＥＥＰＲＯＭ１６は、例えばウェアラブルカメラ１０を識別する識別情報（例えばシリアル番号であるCamera ID）、及び他の設定情報を記憶する。他の設定情報は、例えば署内ＰＣ７１での設定登録や車載レコーダ６２へログインすることにより得られるログイン情報（例えばCar ID、Officer ID）、属性選択スイッチＳＷ４の状態と属性情報との対応を示す対応情報を含む。
【００４０】
ＲＴＣ１７は、現在の時刻情報をカウントしてＭＣＵ１９に出力する。
【００４１】
ＧＰＳ１８は、現在のウェアラブルカメラ１０の位置情報及び時刻情報をＧＰＳ発信機（不図示）から受信して、ＭＣＵ１９に出力する。時刻情報は、ウェアラブルカメラのシステム時刻の補正のために使用される。
【００４２】
ＭＣＵ１９は、制御部としての機能を有し、例えばウェアラブルカメラ１０の各部の動作を全体的に統括するための制御処理、ウェアラブルカメラ１０の各部との間のデータの入出力処理、データの演算（計算）処理及びデータの記憶処理を行い、ＲＯＭ１４に記憶されたプログラム及びデータに従って動作する。ＭＣＵ１９は、動作時には、例えばＲＡＭ１３を使用し、ＲＴＣ１７より現在の時刻情報を得て、ＧＰＳ１８より現在の位置情報を得る。例えば第１録画部の一例としてのＭＣＵ１９は、撮像部１１により撮像された映像データを記憶部１５に録画する。
【００４３】
通信部２１は、例えばＯＳＩ（Open Systems Interconnection）参照モデルの第１層である物理層において、通信部２１とＭＣＵ１９との接続を規定する。通信部２１は、この規定に従って、例えば無線ＬＡＮ（W-LAN）による無線通信（例えばＷｉｆｉ（登録商標））を行う。通信部２１は、近距離無線通信（ＮＦＣ：Near Field Communication）、Ｂｌｕｅｔｏｏｔｈ（登録商標）等の無線通信を行ってもよい。
【００４４】
ＵＳＢ２２は、シリアルバスであり、例えば車載カメラシステム６０又は警察署５内の署内ＰＣ７１との接続を可能とする。
【００４５】
コンタクトターミナル２３は、クレードル（不図示）又は外付けアダプタ（不図示）等と電気的に接続するための端子であり、ＵＳＢ２２を介してＭＣＵ１９に接続され、電源部２４と接続される。コンタクトターミナル２３を介して、ウェアラブルカメラ１０の充電、及び映像データを含むデータの通信が可能となっている。
【００４６】
コンタクトターミナル２３には、例えば「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧及び電圧変化を検出するための端子である。データ端子Ｄ−，Ｄ＋は、例えばＵＳＢコネクタ端子を介して、外部ＰＣ等に対してウェアラブルカメラ１０で撮像した映像データ等を転送するための端子である。
【００４７】
コンタクトターミナル２３とクレードル（不図示）又は外付けアダプタ（不図示）のコネクタとが接続されることにより、ウェアラブルカメラ１０と外部機器との間でデータ通信が可能となる。
【００４８】
電源部２４は、例えばコンタクトターミナル２３を介してクレードル又は外付けアダプタより供給される電源電力をバッテリ２５に給電して、バッテリ２５を充電する。バッテリ２５は、例えば充電可能な２次電池により構成され、ウェアラブルカメラ１０の各部に電源電力を供給する。
【００４９】
録画スイッチＳＷ１は、例えば警察官７の押下操作による録画（動画の撮像）の開始／停止の操作指示を入力する押しボタンスイッチである。録画スイッチＳＷ１は、例えば警察官７が短押し（例えば１秒弱程度の時間にわたって１回押すこと）を行った時、撮像部１１により撮像された映像データの録画開始の指示をＭＣＵ１９に出力する。これにより、ウェアラブルカメラ１０は、映像データの録画を開始する。又は、ウェアラブルカメラ１０は、後述する図１４に示すように、録画スイッチＳＷ１の短押しによって映像データの録画を直ぐに開始せず、映像データの録画開始要求を車載レコーダ６２に送信してもよい。録画スイッチＳＷ１の短押しにより、映像データの録画がすぐに開始されるか、映像データの録画開始の指示が車載レコーダ６２に送信されるかは、例えば録画スイッチＳＷ１の使用モードが論理的に切り替わることで、前者の処理が実行されるように制御されるか後者の処理が実行されるように制御されることが好ましい。
【００５０】
また、録画スイッチＳＷ１は、例えば警察官７が長押し（例えば３秒程度の時間にわたって１回押すこと）を行った時、撮像部１１により撮像された映像データの録画停止の指示をＭＣＵ１９に出力する。これにより、ウェアラブルカメラ１０は、映像データの録画を停止する。又は、ウェアラブルカメラ１０は、後述する図１４に示すように、録画スイッチＳＷ１の録画スイッチＳＷ１の短押しによって映像データの録画停止を直ぐに開始せず、映像データの録画停止要求を車載レコーダ６２に送信してもよい。録画スイッチＳＷ１の長押しにより、映像データの録画がすぐに停止されるか、映像データの録画停止の指示が車載レコーダ６２に送信されるかは、例えば録画スイッチＳＷ１の使用モードが論理的に切り替わることで、前者の処理が実行されるように制御されるか後者の処理が実行されるように制御されることが好ましい。
【００５１】
スナップショットスイッチＳＷ２は、例えば警察官７の押下操作による静止画の撮像の操作指示を入力する押しボタンスイッチである。
【００５２】
属性情報付与スイッチＳＷ３は、例えば警察官７の押下操作による、映像データに属性情報を付与するための操作指示を入力する押しボタンスイッチである。
【００５３】
属性選択スイッチＳＷ４は、例えば映像データに付与する属性を選択するための操作指示を入力するスライドスイッチである。
【００５４】
通信モードスイッチＳＷ５は、例えばウェアラブルカメラ１０と外部機器との間の通信モードを設定するための操作指示を入力するスライドスイッチである。
【００５５】
インジケータスイッチＳＷ６は、例えばＬＥＤ２６ａ〜２６ｃ及びバイブレータ２７による動作状態表示モードを設定するための操作指示を入力するスライドスイッチである。
【００５６】
録画スイッチＳＷ１、スナップショットスイッチＳＷ２、属性情報付与スイッチＳＷ３、及び属性選択スイッチＳＷ４は、緊急時においても容易に操作が可能に構成される。なお、各スイッチは、上記の形態に限定されず、ユーザによる操作指示の入力が可能な他の形態の操作入力デバイスでもよい。
【００５７】
ＬＥＤ２６ａは、例えばウェアラブルカメラ１０の電源投入状態（オンオフ状態）及びバッテリ２５の状態を示す表示部である。ＬＥＤ２６ｂは、例えばウェアラブルカメラ１０の撮像動作の状態（録画状態）を示す表示部である。ＬＥＤ２６ｃは、例えばウェアラブルカメラ１０の通信モードの状態を示す表示部である。
【００５８】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの入力検出を行い、操作があったスイッチ入力に対する処理を行う。
【００５９】
ＭＣＵ１９は、録画スイッチＳＷ１の操作入力を検出した場合、撮像部１１における撮像動作の開始又は停止を制御し、撮像部１１から得られた映像データを、動画像の映像データとして記憶部１５に保存する。この動作の詳細については、図１４及び図１５を参照して詳述する。
【００６０】
ＭＣＵ１９は、スナップショットスイッチＳＷ２の操作入力を検出した場合、スナップショットスイッチＳＷ２が操作されたときの撮像部１１による映像データを、静止画の映像データとして記憶部１５に保存する。ＭＣＵ１９は、属性情報付与スイッチＳＷ３の操作入力を検出した場合、予め設定された属性情報を映像データに付与し、映像データと対応付けて記憶部１５に保存する。この際、属性選択スイッチＳＷ４の状態と所定の属性情報との対応関係を示す対応情報をＥＥＰＲＯＭ１６に保持し、ＭＣＵ１９は、属性選択スイッチＳＷ４の状態を検出し、属性選択スイッチＳＷ４の設定に応じた属性情報を付与する。
【００６１】
ＭＣＵ１９は、通信モードスイッチＳＷ５の状態を検出し、通信モードスイッチＳＷ５の設定に応じた通信モードによって通信部２１を動作させる。ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００６２】
図４に示すように、ウェアラブルカメラ１０は、例えば警察官７の胸部など、警察官７の視点に近い位置からの視野の映像を撮像するように、警察官７が着用した衣服又は体に装着して使用される。このため、ウェアラブルカメラ１０は、ＢＷＣ（Body Worn Camera）と称されてもよい（図１４及び図１５参照）。警察官７は、ウェアラブルカメラ１０を装着した状態で、録画スイッチＳＷ１を操作して周囲の被写体の撮像を行う。
【００６３】
図５に示すように、ウェアラブルカメラ１０では、例えば略直方体状の筐体１０Ａの正面に、撮像部１１の撮像レンズ１１ａ、録画スイッチＳＷ１、スナップショットスイッチＳＷ２が設けられる。録画スイッチＳＷ１は、例えば短押しされることで録画（動画の撮像）が開始され、長押しされることで録画が終了する。スナップショットスイッチＳＷ２は、例えば押下される度に、撮像部１１により撮像された瞬間の静止画の録画がＭＣＵ１９により実行される。
【００６４】
図６に示すように、ウェアラブルカメラ１０の筐体１０Ａの正面から見て左側面には、属性情報付与スイッチＳＷ３、属性選択スイッチＳＷ４、ＵＳＢコネクタ２２ａが設けられる。警察官７が属性情報付与スイッチＳＷ３を押下操作することにより、現在録画中の映像データ又は直前に録画した映像データに対して、属性選択スイッチＳＷ４の設定状態に応じた属性情報が付与される。
【００６５】
属性選択スイッチＳＷ４は、図示例ではＣ１，Ｃ２，Ｃ３の３段階の接点位置を有するスライドスイッチであり、Ｃ１〜Ｃ３にそれぞれ割り付け設定された属性情報を警察官７が選択して指定する。
【００６６】
ＵＳＢコネクタ２２ａには、ＵＳＢ２２により外部機器と接続するケーブルが接続される。これにより、ウェアラブルカメラ１０と車載カメラシステム６０又は警察署５内の署内ＰＣ７１等とを接続し、データ通信可能である。
【００６７】
図７に示すように、ウェアラブルカメラ１０の筐体１０Ａの正面から見て右側面には、通信モードスイッチＳＷ５、インジケータスイッチＳＷ６が設けられる。
【００６８】
通信モードスイッチＳＷ５は、図示例ではＡＰ、ＳＴＡ１、ＳＴＡ２、ＯＦＦの４段階の接点位置を有するスライドスイッチであり、ウェアラブルカメラ１０の通信モードをユーザが選択して指定する。ＡＰは、アクセスポイントモードであり、ウェアラブルカメラ１０が無線ＬＡＮのアクセスポイントとして動作するモードである。ウェアラブルカメラ１０は、ＡＰでは、例えば警察官７が所持する携帯端末（不図示）と無線接続して、携帯端末との間で通信を行う。アクセスポイントモードにおいて、携帯端末は、ウェアラブルカメラ１０と接続することにより、ウェアラブルカメラ１０による現在のライブ映像の表示、録画された映像データの再生、撮像された静止画の表示、映像データに付与された属性情報やメタ情報の表示等を行うことができる。
【００６９】
ＳＴＡ１，ＳＴＡ２は、ステーションモードであり、無線ＬＡＮを用いて外部機器と接続する場合に、外部機器をアクセスポイントとして通信を行うモードである。ＳＴＡ１は警察署５内のアクセスポイントと接続するモード、ＳＴＡ２は車載カメラシステム６０と接続するモードであり、それぞれ異なる接続先情報が設定される。
【００７０】
ステーションモードにおいて、ウェアラブルカメラ１０は、各種設定、ウェアラブルカメラ１０が保持する録画された映像データの転送（アップロード）などを車載カメラシステム６０や警察署５内の署内ＰＣ７１やサーバＳＶ１〜ＳＶ３に対して行うことができる。ＯＦＦは、無線ＬＡＮの通信動作をオフし、無線ＬＡＮを未使用とするモードである。
【００７１】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、ウェアラブルカメラ１０の報知モードを警察官７が選択して指定する。ＬＥＤは、ＬＥＤ２６ａ〜２６ｃによってウェアラブルカメラ１０の録画中などの動作状態を表示するモードである。Ｖｉｂｒａｔｉｏｎは、バイブレータ２７の振動によってウェアラブルカメラ１０の動作状態を報知するモードである。ＬＥＤ＆Ｖｉｂｒａｔｉｏｎは、ＬＥＤ２６ａ〜２６ｃの表示とバイブレータ２７の振動とによってウェアラブルカメラ１０の動作状態を報知するモードである。ＯＦＦは動作状態の報知動作をオフするモードである。
【００７２】
ＬＥＤ２６ａ〜２６ｃは、図４に示すように、ウェアラブルカメラ１０の筐体１０Ａの正面から見て上面に配置されている。これにより、警察官７がウェアラブルカメラ１０を装着した状態でＬＥＤ２６ａ〜２６ｃを容易に視認できる。なお、警察官７本人以外からは、ＬＥＤ２６ａ〜２６ｃが視認できないように配置されてもよい。また、図示しないが、ウェアラブルカメラ１０の筐体１０Ａの正面から見て下面には、コンタクトターミナル２３が設けられる。
【００７３】
図８は、車載レコーダ６２の内部構成の一例を示すブロック図である。車載レコーダ６２は、ＣＰＵ１０１、無線通信部１０２、有線通信部１０３、フラッシュＲＯＭ１０４、ＲＡＭ１０５、μＣＯＮ１０６、ＧＰＳ１０７、ＧＰＩＯ１０８、ボタン１０９、ＬＥＤ１１０、及びＳＳＤ１１１を含む構成である。
【００７４】
ＣＰＵ１０１は、例えば車載レコーダ６２の各部の動作を全体的に統括するための制御処理、他の各部との間のデータの入出力処理、データの演算（計算）処理及びデータの記憶処理を行う。例えば第２録画部の一例としてのＣＰＵ１０１は、車載カメラ６１により撮像された映像データをＳＳＤ１１１に録画する。
【００７５】
無線通信部１０２は、無線回線を介して外部装置と無線通信する。無線通信は、例えば無線ＬＡＮ（Local Area Network）通信、近距離無線通信（ＮＦＣ）、Ｂｌｕｅｔｏｏｔｈ（登録商標）を含む。無線ＬＡＮ通信は、例えばＷｉｆｉ（登録商標）のＩＥＥＥ８０２．１１ｎ規格を用いて通信する。ＣＰＵ１０１と無線通信部１０２との間は、例えばＰＣＩ（Peripheral Component InterConnect）又はＵＳＢを介して接続される。無線通信部１０２は、例えば車載カメラ６１、車載管理ＰＣ６３、ウェアラブルカメラ１０、警察署５の署内ＰＣ７１やサーバＳＶ１〜ＳＶ３との間で無線通信する。
【００７６】
有線通信部１０３は、有線回線（例えば有線ＬＡＮ）を介して外部装置と有線通信する。有線通信部１０３は、例えば車載カメラ６１、車載管理ＰＣ６３、ウェアラブルカメラ１０、警察署５の署内ＰＣ７１やサーバＳＶ１〜ＳＶ３との間で有線通信する。
【００７７】
フラッシュＲＯＭ１０４は、例えばＣＰＵ１０１を制御するためのプログラム及びデータを記憶するメモリである。また、各種設定情報が保持される。
【００７８】
ＲＡＭ１０５は、例えばＣＰＵ１０１の動作において使用されるワークメモリである。ＲＡＭ１０５は、例えば複数設けられる。
【００７９】
μＣＯＮ１０６は、例えばマイクロコンピュータの一種であり、外部インタフェースに係る各部（例えばＧＰＳ１０７、ＧＰＩＯ１０８、ボタン１０９、ＬＥＤ１１０）と接続され、外部インタフェースに関する制御を行う。μＣＯＮ１０６は、例えばＵＡＲＴ（Universal Asynchronous Receiver Transmitter）を介して、ＣＰＵ１０１に接続される。
【００８０】
ＧＰＳ１０７は、例えば現在の車載レコーダ６２の位置情報及び時刻情報をＧＰＳ発信機（不図示）から受信して、ＣＰＵ１０１に出力する。この時刻情報は、車載レコーダ６２のシステム時刻の補正のために使用される。
【００８１】
ＧＰＩＯ１０８は、例えばパラレルインタフェースであり、ＧＰＩＯ１０８を介して接続される外部装置（不図示）とＭＣＵ１９との間で、信号を入出力する。ＧＰＩＯ１０８には、例えば各種センサ（例えば速度センサ、加速度センサ、扉開閉センサ）が接続される。
【００８２】
ボタン１０９は、例えば車載カメラ６１により撮像された映像データの録画を開始又は停止するための録画ボタン、車載カメラ６１により撮像された映像データに対して属性情報やメタ情報を付与するための付与ボタンを含む。
【００８３】
ＬＥＤ１１０は、例えば車載レコーダ６２の電源投入状態（オンオフ状態）、録画の実施状態、車載レコーダ６２のＬＡＮへの接続状態、車載レコーダ６２に接続されたＬＡＮの使用状態を、点灯、消灯、点滅等により表示する。
【００８４】
ＳＳＤ１１１は、例えば車載カメラ６１により撮像されて録画された映像データを蓄積する。ＳＳＤ１１１は、ウェアラブルカメラ１０により撮像されて録画された映像データを蓄積してもよい。また、ＳＳＤ１１１は、映像データ以外のデータを蓄積してもよい。ＳＳＤ１１１は、ＳＡＴＡ（Serial ATA）を介して、ＣＰＵ１０１に接続される。ＳＳＤ１１１は、複数設けられてもよい。なお、ＳＳＤ１１１以外のストレージ（例えばＨＤＤ）が設けられてもよい。
【００８５】
図９は、本実施形態の車載管理ＰＣ６３の内部構成の一例を示すブロック図である。車載管理ＰＣ６３は、ＣＰＵ２０１と、Ｉ／Ｏ（Input/Output）制御部２０２と、通信部２０３と、メモリ２０４と、入力部２０５と、表示部２０６と、スピーカ２０７と、ＨＤＤ２０８とを含む構成である。車載管理ＰＣ６３は、ウェアラブルカメラ１０、車載レコーダ６２とそれぞれ通信可能であり、バックエンドシステム１００Ｂのサーバ装置ＳＶ１〜ＳＶ３や署内ＰＣ７１とも通信可能である。
【００８６】
ＣＰＵ２０１は、例えば車載管理ＰＣ６３の各部の動作を全体的に統括するための制御処理、他の各部との間のデータのＩ／Ｏ制御部２０２を介した入出力処理、データの演算（計算）処理及びデータの記憶処理を行う。
【００８７】
ＣＰＵ２０１は、例えば表示部２０６に表示された車載カメラシステム６０へのログイン画面（不図示）に対する警察官７の入力操作により、警察官７の車載カメラシステム６０へのログインの可否を認証する。警察官７の入力操作は、例えばOfficer IDとパスワード等を入力する操作である。ログインが許可される対象となる警察官７に関する各種情報は、例えばメモリ２０４に予め保存されており、ＣＰＵ２０１は、メモリ２０４に予め保存されているログインの許可対象の情報を用いて、警察官７の車載カメラシステム６０へのログインの可否を判定する。なお、ログインは、車載管理ＰＣ６３を介した車載カメラシステム６０へのログインでもよいし、車載管理ＰＣ６３に搭載された車載カメラシステム６０を操作するアプリケーションへのログインでもよい。
【００８８】
Ｉ／Ｏ制御部２０２は、ＣＰＵ２０１と車載管理ＰＣ６３の各部（例えば通信部２０３、入力部２０５、表示部２０６、スピーカ２０７）との間でデータの入出力に関する制御を行い、ＣＰＵ２０１からのデータ及びＣＰＵ２０１へのデータの中継を行う。なお、Ｉ／Ｏ制御部２０２は、ＣＰＵ２０１と一体的に構成されてもよい。
【００８９】
通信部２０３は、例えば車載レコーダ６２との間、警察官７が装着可能なウェアラブルカメラ１０との間、又はバックエンドシステム１００Ｂ側との間で、有線又は無線による通信を行う。
【００９０】
通信部２０３は、警察官７が車載カメラシステム６０にログイン中である場合に限り、メモリ２０４に保存されるログイン情報をウェアラブルカメラ１０に転送してコピーさせる。
【００９１】
ログイン情報は、例えば警察官７を識別するためのOfficer ID、ウェアラブルカメラ１０を識別するためのCamera ID、使用されるパトカー６を識別するためのCar IDを含む。
【００９２】
メモリ２０４は、例えばＲＡＭ、ＲＯＭ、不揮発性又は揮発性の半導体メモリを用いて構成され、ＣＰＵ２０１の動作時のワークメモリとして機能し、ＣＰＵ２０１を動作させるための所定のプログラム及びデータを保存している。メモリ２０４は、例えば車載カメラシステム６０へのログインが許可される警察官７に関するログイン情報を保存する。
【００９３】
入力部２０５は、警察官７の入力操作を受け付け、Ｉ／Ｏ制御部２０２を介してＣＰＵ２０１に通知するためのＵＩであり、例えばマウス、キーボード等のポインティングデバイスである。入力部２０５は、例えば表示部２０６の画面に対応して配置され、警察官７の指又はスタイラスペンによって操作が可能なタッチパネル又はタッチパッドを用いて構成されても良い。
【００９４】
入力部２０５は、例えば車載カメラシステム６０へログインするためのログイン情報を入力する。
【００９５】
表示部２０６は、例えばＬＣＤ（Liquid Crystal Display）又は有機ＥＬ（Electroluminescence）を用いて構成され、各種情報を表示する。また、表示部２０６は、例えば警察官７の入力操作に応じて、ウェアラブルカメラ１０により撮像（録画）された映像データが入力された場合には、ＣＰＵ２０１の指示の下で、映像データに含まれる映像を画面に表示する。
【００９６】
スピーカ２０７は、例えば警察官７の入力操作に応じて、ウェアラブルカメラ１０により撮像（録画）された音声を含む映像データが入力された場合には、ＣＰＵ２０１の指示の下で、映像データに含まれる音声を出力する。なお、表示部２０６及びスピーカ２０７は、車載管理ＰＣ６３とは別々の構成としてもよい。
【００９７】
ＨＤＤ２０８は、例えば各種データ、ソフトウェア（ソフトウェアプログラム）を記憶する。具体的には、ＨＤＤ２０８は、例えば車載レコーダ６２の制御や設定を行うためのソフトウェア、ウェアラブルカメラ１０の制御や設定を行うためのソフトウェアを保存する。また、ＨＤＤ２０８は、例えばウェアラブルカメラ１０から転送され、ウェアラブルカメラ１０により撮像された映像データを保存する。
【００９８】
次に、映像データへの属性情報の付与について説明する。
【００９９】
ウェアラブルカメラシステム１００において、ウェアラブルカメラ１０により録画し、サーバＳＶ１〜ＳＶ３へ転送して蓄積した映像データを利用する場合を想定する。同様に、車載カメラ６１により撮像し、車載レコーダ６２により録画し、サーバＳＶ１〜ＳＶ３へ転送して蓄積した映像データを利用する場合を想定する。
【０１００】
この場合、例えば署内ＰＣ７１は、警察署５内の警察官の操作に応じて、蓄積した映像データの中から、映像内容の種別、撮像した警察官７、日時、撮像場所など、映像データに関連する何らかの属性情報を基にして対象の映像データを抽出し、再生できる。この際に、映像データに対応付けられた属性情報が用いられる。映像データに属性情報が付与されることで、何を撮像した映像であるかの判別が容易になり、目的の映像データを抽出することが容易になる。
【０１０１】
ここでは、ウェアラブルカメラ１０は、属性情報として映像内容の種別を示す分類情報を付与し、映像データを各種別に振り分け可能にする。分類情報は、警察官７が出動した先のパトロール又は現場における映像データの内容を識別可能なカテゴリを示す。なお、属性情報としては分類情報に限定されず、録画した映像データに関するあらゆる情報が含まれる。また、属性情報としての分類情報は、例えば階層構造とされ、又は、分類を異なる複数の系統によってカテゴリ分けされてもよい。また、上記と同様に、車載レコーダ６２は、属性情報として映像内容の種別を示す分類情報を付与し、映像データを各種別に振り分け可能にする。
【０１０２】
図１０は、属性選択スイッチＳＷ４の状態と属性情報との対応関係の一例を示す図である。ウェアラブルカメラ１０を使用する場合、図１０に示すように、属性選択スイッチＳＷ４の状態（接点位置）Ｃ１〜Ｃ３にそれぞれ対応して、属性情報を割り付けて設定しておく。図示例は、警察官７が現場８（例えば事件現場）の様子を撮像する場合を想定し、Ｃ１に飲酒運転（DRIVING UNDER THE INFLUENCE）、Ｃ２に薬物乱用（DRUG ABUSE VIOLATION）、Ｃ３に窃盗（STOLEN PROPERTY）をそれぞれ割り付けたものである。
【０１０３】
属性情報の割り付けでは、例えばウェアラブルカメラ１０のＭＣＵ１９が、複数定義された属性情報の中から、警察官７にとって使用頻度の高い属性情報を選択して設定する。属性情報の設定内容は、例えばウェアラブルカメラ１０のＥＥＰＲＯＭ１６に設定情報の一つとして記憶される。
【０１０４】
なお、車載レコーダ６２は、例えば通信部２０３が、車載管理ＰＣ６３の入力部２０５により入力された属性情報を取得し、ＣＰＵ１０１が、車載カメラ６１により撮像された映像データに対して、取得された属性情報を付与する。車載レコーダ６２による属性情報の付与では、属性選択スイッチＳＷ４のように接点数が決まっていないので、より多種類の属性情報を付与することが可能である。
【０１０５】
図１１は、録画データのデータ構造の一例を示す模式図である。録画データは、録画された映像データと、この映像データに対応するメタ情報とを含む。メタ情報については後述するが、メタ情報は属性情報を含む。ウェアラブルカメラ１０により撮像されて録画された録画データと、車載カメラ６１により撮像されて車載レコーダ６２により録画された録画データとは、同様の形式である。
【０１０６】
次に、録画映像リストのデータ構造について説明する。ウェアラブルカメラ１０により撮像された映像データに係る録画映像リストは、ウェアラブルカメラ１０の記憶部１５に保持される。車載カメラ６１により撮像された映像データに係る録画映像リストは、車載レコーダ６２のＳＳＤ１１１に保持される。
【０１０７】
図１２は、本実施形態のウェアラブルカメラ１０が保持する録画映像リストのデータ構造の一例を示す模式図である。ウェアラブルカメラ１０は、録画中又は録画後に、属性情報付与スイッチＳＷ３の操作入力を検出すると、録画対象の映像データに関連する属性情報を生成し、属性情報を含むメタ情報を記憶部１５に記憶する。即ち、記憶部１５に記憶される録画データには、映像データとメタ情報とが含まれる（図１１参照）。ウェアラブルカメラ１０は、サーバＳＶ１〜ＳＶ３に映像データを転送する場合、映像データとメタ情報とを含む録画データを転送して蓄積する。なお、映像データとメタ情報とが別々に転送されてもよい。
【０１０８】
映像データに関連するメタ情報は、例えば図１２に示すような録画映像リストとして記憶される。録画映像リストのメタ情報は、映像データを識別する情報（つまり、映像データＩＤ）に対し、例えば映像位置情報（つまり、映像時刻情報）、Car ID、Officer ID、属性情報（つまり、事件カテゴリ）、録画開始トリガ、録画開始指示送信時刻、その他情報が対応付けられた情報である。
【０１０９】
映像データとメタ情報とは、映像データＩＤによって紐付けされる。映像データＩＤは、録画された映像データを識別するための識別情報である。映像データＩＤは、例えば録画開始時、録画中、又は録画終了時に映像データに対して付与される。映像データＩＤは、例えば映像データの録画開始時刻、ファイル名、その他のＩＤを含む。
【０１１０】
映像位置情報は、メタ情報が映像データに対して付与された時刻情報であり、つまり、属性情報付与スイッチＳＷ３の操作入力が検出された時刻（属性情報付与時ともいう）の情報である。また、映像位置情報は、メタ情報が映像データに対して付与された時刻情報でもよいが、ウェアラブルカメラ１０により撮像された映像データの録画が開始した時刻でもよい。
【０１１１】
Car IDは、個々のパトカー６を識別するための識別情報である。Officer IDは、ウェアラブルカメラ１０を使用する警察官７の識別情報である。Car IDとOfficer IDとが設定されることで、どのパトカー６を使用するどの警察官７が、ウェアラブルカメラ１０を用いて映像データを録画したかを判別できる。
【０１１２】
属性情報は、映像データの内容に関する種別を識別するための分類情報（つまり、事件カテゴリ）であり、図１０に示した属性情報の設定内容に基づき、属性選択スイッチＳＷ４に従って付与される。
【０１１３】
録画開始トリガは、映像データの録画が開始された要因を示す。録画開始要因は、例えば録画スイッチＳＷ１又はスナップショットスイッチＳＷ２の押下検出でもよいし、ウェアラブルカメラ１０が備えるセンサ（例えば不図示の加速度センサ）、ＲＴＣ１７又はＧＰＳ１８の出力情報に基づく録画開始トリガの検出でもよい。また、録画開始トリガは、図１４及び図１５に示すように、車載カメラシステム６０の指示（具体的には、車載レコーダ６２から送信された録画開始指示）に応じてウェアラブルカメラ１０が映像データの録画を開始した場合には、車載カメラシステム６０の指示でもよい（図１２の映像データＩＤ１参照）。
【０１１４】
録画開始指示送信時刻は、図１４及び図１５に示すように、車載カメラシステム６０の指示に応じてウェアラブルカメラ１０が映像データの録画を開始する場合に、車載レコーダ６２から送信された録画開始指示に含まれた録画開始指示の送信時刻を示す。その他情報は、例えばＧＰＳ情報を含む。ＧＰＳ情報は、映像データの録画が行われた場所を示す位置情報であり、例えば属性情報付与時の現在位置情報をＧＰＳ１８から取得して付与する。図１２に示すメタ情報は、例えばＭＣＵ１９の処理によって付与され、ウェアラブルカメラ１０により撮像された映像データと関連付けて記憶部１５に記憶される。
【０１１５】
なお、図１２では図示していないが、１つの映像データ、つまり１つの映像データＩＤに対して、１つ以上のメタ情報（つまり、映像位置情報、Car ID、Officer ID、属性情報、録画開始トリガ、録画開始指示送信時刻、その他情報の組み合わせ）が付与されてもよい。例えば警察官７が飲酒運転の取り締まり中に、薬物乱用の場面に遭遇した場合、映像データの録画を継続したまま属性情報付与スイッチＳＷ３を２回、操作入力することで、ウェアラブルカメラ１０は、１つの映像データに対してメタ情報を２つ付与できる。
【０１１６】
図１３は、本実施形態の車載レコーダ６２が保持する録画映像リストのデータ構造の一例を示す模式図である。車載レコーダ６２が保持する録画映像リストについても、図１２に示す録画映像リストと同様に、映像データに対する属性情報を含むメタ情報を有する。メタ情報の内容は、属性情報が無いことを除けば、図１２に示したメタ情報の内容と同様である。但し、車載レコーダ６２は、例えば警察官７の車載管理ＰＣ６３に対する操作に応じて、ウェアラブルカメラ１０が付与する属性情報よりも多種類の属性情報（例えば事件カテゴリ）を付与して録画映像リストに保存してもよい。
【０１１７】
また、車載レコーダ６２は、録画開始トリガに関する情報として、属性情報の付与ボタンの押下検出、車載カメラシステム６０が備えるセンサ（例えば不図示の速度センサ、加速度センサ、扉開閉センサのうちいずれか）、ＲＴＣ１７、又はＧＰＳ１０７の情報に基づく録画開始トリガの検出を含む。また、録画開始トリガは、図１４及び図１５に示すように、車載カメラシステム６０の指示（具体的には、車載レコーダ６２から送信された録画開始指示）に応じて車載レコーダ６２が映像データの録画を開始した場合には、車載カメラシステム６０の指示でもよい（図１３の映像データＩＤ１参照）。
【０１１８】
録画開始指示送信時刻は、図１４及び図１５に示すように、車載カメラシステム６０の指示に応じて車載レコーダ６２が映像データの録画を開始する場合に、車載レコーダ６２がウェアラブルカメラ１０に録画の開始を指示するために車載レコーダ６２から送信された録画開始指示に含まれた録画開始指示の送信時刻である。上記の車載レコーダ６２が付与するメタ情報は、例えばＣＰＵ１０１の処理によって付与され、車載カメラ６１により撮像された映像データと関連付けてＳＳＤ１１１に記憶される。
【０１１９】
次に、ウェアラブルカメラシステム１００の動作例について説明する。
【０１２０】
図１４は、本実施形態のウェアラブルカメラシステムにおける録画開始及び録画停止の動作手順の第１例を詳細に説明するシーケンス図である。図１４では、車載レコーダ６２とウェアラブルカメラ１０とが無線ＬＡＮにより無線接続されることを例示するが、他の方法により無線接続されてもよいし、有線接続されてもよい。また、図１４の説明の前提として、ウェアラブルカメラ１０は、警察官７が録画スイッチＳＷ１を短押しした場合でも直ぐに映像データの録画が開始されないモード、かつ警察官７が録画スイッチＳＷ１を長押しした場合でも直ぐに映像データの録画が停止されないモードとする。
【０１２１】
図１４において、車載レコーダ６２とウェアラブルカメラ１０とが互いに通信相手（つまり、車載レコーダ６２にとってはウェアラブルカメラ１０、ウェアラブルカメラ１０にとっては車載レコーダ６２）を検出し、車載レコーダ６２とウェアラブルカメラ１０との間で通信リンクが確立される（Ｓ１）。具体的には、車載レコーダ６２とウェアラブルカメラ１０とが、例えば無線ＬＡＮのＳＳＩＤ及びパスワードを用いてペアリング処理を行うことで、通信相手を検出する。
【０１２２】
また、車載レコーダ６２とウェアラブルカメラ１０とが、例えば相互に、保持しているCar ID及びOfficer IDを交換し、自装置と通信相手の装置が保持するCar ID及びOfficer IDとが一致した場合に、通信リンクを確立する。なお、車載レコーダ６２とウェアラブルカメラ１０とは、Camera ID及びOfficer IDの一致を確認せずに、通信相手が検出されたことで通信リンクを確立してもよい。例えば警察官７が車載管理ＰＣ６３にログインしていない場合、車載レコーダ６２にCamera ID及びOfficer IDが操作入力されないので、車載レコーダ６２にCamera ID及びOfficer IDが保持されない。
【０１２３】
この場合でも、車載カメラシステム６０とウェアラブルカメラ１０との間で通信リンクを確立できる。例えば出動時の警察官７とパトカーとの組み合わせが毎回異なり、定まっていない場合でも、車載レコーダ６２とウェアラブルカメラ１０とを無線ＬＡＮ等を用いて簡単に接続できる。
【０１２４】
ステップＳ１の後、警察官７が録画スイッチＳＷ１を短押しした場合、ウェアラブルカメラ１０は、録画スイッチＳＷ１の短押しを検出したことに応じて録画開始要求を生成し、この録画開始要求を車載レコーダ６２に送信する（Ｓ２）。車載レコーダ６２は、録画開始要求を受信すると、車載カメラ６１により撮像された映像データのＳＳＤ１１１への録画をＣＰＵ１０１に指示して開始し（Ｓ３ａ）、ＳＳＤ１１１への映像データの記憶を継続する（Ｓ４）。
【０１２５】
また、車載レコーダ６２は、ＳＳＤ１１１への映像データの録画を指示すると同時に、ウェアラブルカメラ１０により撮像された映像データの録画開始の指示（つまり、録画開始指示）を生成してウェアラブルカメラ１０に送信する（Ｓ３ｂ）。なお、車載カメラシステム（ＩＣＶ：In Car Video system）６０において、車載レコーダ６２における映像データの録画の開始時刻と、ウェアラブルカメラ１０における映像データの録画の開始時刻との間には、車載レコーダ６２（言い換えると、パトカー６）とウェアラブルカメラ１０（言い換えると、警察官７）との距離に応じた時間差ｔ０があるが、この時間差はゼロに限りなく近い値又は誤差の範囲と考えられる値である。従って、本実施形態において、車載カメラ６１により撮像された映像データの録画が車載レコーダ６２（ＳＳＤ１１１）において開始される時刻と、ウェアラブルカメラ１０自身により撮像された映像データの録画がウェアラブルカメラ１０において開始される時刻とはほぼ同時刻である。
【０１２６】
なお、車載レコーダ６２は、車載カメラ６１により撮像された映像データの録画をＳＳＤ１１１へ開始指示したタイミングと同時に録画開始指示をウェアラブルカメラ１０に送信したことを示すために、ＬＥＤ１１０を所定色に点灯させてもよい。
【０１２７】
ウェアラブルカメラ１０は、車載レコーダ６２から録画開始指示を受信すると、撮像部１１により撮像された映像データの録画を開始し、記憶部１５への映像データの記憶を継続する（Ｓ５）。このように本実施形態では、車載レコーダ６２が、車載レコーダ６２の録画開始とほぼ同時にウェアラブルカメラ１０の録画の開始が可能となるように録画開始指示をウェアラブルカメラ１０に送信する。これにより、本実施形態のウェアラブルカメラシステムでは、パトカー６に設置された車載カメラ６１により撮像された固定アングルの画角に含まれる現場の映像データの録画と、警察官７が装着したウェアラブルカメラ１０により撮像された可変アングルの画角に含まれる現場の映像データの録画とをほぼ同時に行うことが可能となり、同時刻における広範な現場の状況の映像データを記録できる。
【０１２８】
また、警察官７が録画スイッチＳＷ１を長押しした場合、ウェアラブルカメラ１０は、録画スイッチＳＷ１の長押しを検出したことに応じて録画停止要求を生成し、この録画停止要求を車載レコーダ６２に送信する（Ｓ６）。車載レコーダ６２は、録画停止要求を受信すると、車載カメラ６１により撮像された映像データのＳＳＤ１１１への録画を停止し（Ｓ７ａ）、ＳＳＤ１１１への映像データの記憶を中止する。
【０１２９】
また、車載レコーダ６２は、ＳＳＤ１１１への映像データの録画停止を指示すると同時に、ウェアラブルカメラ１０により撮像された映像データの録画停止の指示（つまり、録画停止指示）を生成してウェアラブルカメラ１０に送信する（Ｓ７ｂ）。なお、車載カメラシステム６０において、車載レコーダ６２における映像データの録画の停止時刻と、ウェアラブルカメラ１０における映像データの録画の停止時刻との間には、車載レコーダ６２（言い換えると、パトカー６）とウェアラブルカメラ１０（言い換えると、警察官７）との距離に応じた時間差ｔ０が（図１４では図示略）あるが、この時間差はゼロに限りなく近い値又は誤差の範囲と考えられる値である。従って、本実施形態において、車載カメラ６１により撮像された映像データの録画が車載レコーダ６２において停止される時刻と、ウェアラブルカメラ１０自身により撮像された映像データの録画がウェアラブルカメラ１０において停止される時刻とはほぼ同時刻である。
【０１３０】
なお、車載レコーダ６２は、車載カメラ６１により撮像された映像データの録画を停止したタイミングと同時に録画停止指示をウェアラブルカメラ１０に送信したことを示すために、ＬＥＤ１１０を異なる所定色に点灯させてもよいし、又はＬＥＤ１１０を消灯させてもよい。
【０１３１】
ウェアラブルカメラ１０は、車載レコーダ６２から録画停止指示を受信すると、撮像部１１により撮像された映像データの録画を停止し、記憶部１５への映像データの記憶を中止する。このように本実施形態では、車載レコーダ６２が、ＳＳＤ１１１への録画停止指示とほぼ同時にウェアラブルカメラ１０の録画の停止が可能となるように録画停止指示をウェアラブルカメラ１０に送信する。これにより、本実施形態のウェアラブルカメラシステムでは、パトカー６に設置された車載カメラ６１により撮像された固定アングルの画角に含まれる現場の映像データの録画停止と、警察官７が装着したウェアラブルカメラ１０により撮像された可変アングルの画角に含まれる現場の映像データの録画停止とをほぼ同時に行うことが可能となり、アングルが異なる複数の映像データの開始時刻及び終了時刻が同時刻にできた、広範な現場の状況の映像データを記録できる。
【０１３２】
また、ウェアラブルカメラ１０に対する警察官７の操作により、警察官７が録画スイッチＳＷ１を短押しした場合に直ぐに映像データの録画が開始されるモード、かつ警察官７が録画スイッチＳＷ１を長押しした場合に直ぐに映像データの録画が停止されるモードに切り替えられたとする（Ｓ８）。
【０１３３】
このモードに切り替えられた後、警察官７がウェアラブルカメラ１０の録画スイッチＳＷ１を短押しした場合には（Ｓ２ｍ）、ウェアラブルカメラ１０は、例えば警察官７がいる現場の状況の映像を撮像してその映像データの録画を開始する（Ｓ５ｍ）。警察官７がウェアラブルカメラ１０の録画スイッチＳＷ１を長押しした場合には（Ｓ６ｍ）、ウェアラブルカメラ１０は、例えば警察官７がいる現場の状況の映像の録画を停止する。
【０１３４】
なお、ステップＳ２において録画開始要求はウェアラブルカメラ１０の録画スイッチＳＷ１の短押し、ステップＳ６において録画停止要求はウェアラブルカメラ１０の録画スイッチＳＷ１の長押しであることに限定されない（図１５参照）。図１５は、本実施形態のウェアラブルカメラシステムにおける録画開始及び録画停止の動作手順の第２例を詳細に説明するシーケンス図である。図１５の説明において、図１４の説明と重複する箇所については同一のステップ番号を付与して説明を省略し、異なる内容について説明する。
【０１３５】
図１４における録画開始要求は、警察官７による録画スイッチＳＷ１の短押しに起因してウェアラブルカメラ１０により生成された。図１５では、録画開始要求は、警察官７による車載管理ＰＣ６３の指示によって、パトカー６に取り付けられたパトライト（登録商標）ＰＴＬが点灯したタイミングである（Ｓ２ａ）。なお、パトライト（登録商標）ＰＴＬが点灯するタイミングは、警察官７による車載管理ＰＣ６３の指示に限定されず、パトカー６の運転が開始したタイミング、パトカー６の走行速度が既定速度未満に達したタイミングでもよい。
【０１３６】
図１４における録画停止要求は、警察官７による録画スイッチＳＷ１の長押しに起因してウェアラブルカメラ１０により生成された。図１５では、録画停止要求は、警察官７による車載管理ＰＣ６３の指示によって、パトカー６に取り付けられたパトライト（登録商標）ＰＴＬが消灯したタイミングである（Ｓ６ａ）。なお、パトライト（登録商標）ＰＴＬが点灯するタイミングは、警察官７による車載管理ＰＣ６３の指示に限定されず、パトカー６の運転が終了したタイミング、パトカー６の走行速度が既定速度に達したタイミングでもよい。
【０１３７】
これにより、例えば警察官７が緊急対応のためにウェアラブルカメラ１０の録画スイッチＳＷ１又はスナップショットスイッチＳＷ２による録画開始操作を失念した場合でも、パトライト（登録商標）ＰＴＬの点灯によって現場８の映像データを記録できる。
【０１３８】
また、警察官７が録画開始操作をする程の時間を有さずに録画を行うことができない可能性があり、後の事件現場の検証のために重要なシーンが録画されていない状態（つまり、録画漏れ）が起こり得る。また、警察官７が録画開始操作をすることに気をとられてしまい、警察官７の緊急対応時の注意力が低下する可能性もある。パトカー等の出動車両に車載カメラが搭載され、この車載カメラにおいて録画可能である場合でも、緊急対応の際には同様に録画開始操作をすることができず、録画漏れが起こり得る。
【０１３９】
従って、パトライト（登録商標）ＰＴＬの点灯や消灯に連動して、ウェアラブルカメラ１０や車載レコーダ６２における録画の開始や停止を行うことで、例えば警察官７が緊急対応のためにウェアラブルカメラ１０の録画スイッチＳＷ１による録画停止操作を失念した場合でも、ウェアラブルカメラ１０及び車載レコーダ６２は、同一時刻における現場の映像データを記録及びその記録を停止できる。
【０１４０】
図１６は、本実施形態のウェアラブルカメラ１０における属性情報の付与動作手順の一例を詳細に説明するフローチャートである。
【０１４１】
ウェアラブルカメラ１０のＭＣＵ１９は、属性情報の付与に先立って、初期設定を実行する（Ｓ１１）。ウェアラブルカメラ１０の初期設定は、例えば警察官７が出動する際に、警察署５内の署内ＰＣ７１に接続し、署内ＰＣ７１を操作して設定情報を転送することによって行う。
【０１４２】
初期設定は、例えばCamera ID及びOfficer IDの付与、属性情報付与スイッチＳＷ３と属性選択スイッチＳＷ４の有効化、属性選択スイッチＳＷ４への複数の属性情報の割り付け（例えば図１０参照）を含む。
【０１４３】
ＭＣＵ１９は、車載レコーダ６２から送信された録画開始指示を取得すると、撮像部１１により撮像された映像データの録画動作を開始し、映像データを記憶部１５に記憶させる（Ｓ１２）。ここでの映像データは、動画でも静止画でもよい。
【０１４４】
ＭＣＵ１９は、車載レコーダ６２から送信された録画開始指示に応じて録画動作を開始すると、例えばＲＡＭ１３に、録画開始トリガ及び録画開始指示の送信時刻を含む各種の情報（図１２参照、但し後述する属性情報を除く）をメタ情報として保存する（Ｓ１３）。
【０１４５】
映像データの録画開始後、ＭＣＵ１９は、属性選択スイッチＳＷ４の選択状態を入力する（Ｓ１４）。
【０１４６】
ＭＣＵ１９は、録画が継続されているか否かを判定する（Ｓ１５）。例えば車載レコーダ６２から送信された録画停止指示が通信部２１において受信されていない場合、録画は継続されている。録画が継続されていない場合、ＭＣＵ１９は、属性情報付与動作を終了する。
【０１４７】
一方、録画が継続されている場合、ＭＣＵ１９は、属性情報付与スイッチＳＷ３の入力の有無を判定する（Ｓ１６）。つまり、映像データの録画中又は録画後において、警察官７の操作に応じて属性情報の付与が行われる。なお、属性選択スイッチＳＷの選択状態は、１度の映像データの録画中において変更されてもよい。つまり、１つの映像データに対して複数の属性情報が選択されて付与されてもよい。
【０１４８】
属性情報付与スイッチＳＷ３からの入力があった場合、ＭＣＵ１９は、属性選択スイッチＳＷ４の状態に対応する属性情報をＥＥＰＲＯＭ１６から読み込み、属性情報を映像データに対して付与する（Ｓ１７）。属性情報付与スイッチＳＷ３からの入力がなかった場合、Ｓ１３に進む。
【０１４９】
ＭＣＵ１９は、付与された属性情報を含むメタ情報を、録画中の又は直前に録画された映像データと関連付けて、記憶部１５に記憶させる（Ｓ１８）。ここでのメタ情報は、例えば図１２の録画映像リストに示したように、映像位置情報、Camera ID、Officer ID、属性情報（例えば事件カテゴリ）、録画開始トリガ、及び録画開始指示の送信時刻を含む。なお、ＭＣＵ１９は、ステップＳ１５において録画が停止した場合に、車載レコーダ６２から送信された録画停止指示の送信時刻の情報をメタ情報に含めて保存してもよい。
【０１５０】
映像位置情報は、例えば属性情報付与スイッチＳＷ３の入力時にＲＴＣ１７から現在時刻として取得される。Camera ID、Officer IDは、例えばＥＥＰＲＯＭ１６から取得される。録画開始トリガに関する情報は、例えばＳ１３において保存されたＲＡＭ１３から取得される。録画開始指示の送信時刻は録画開始指示に含まれているので、ＲＡＭ１３から取得される。Ｓ１８の処理後、Ｓ１５に進む。
【０１５１】
なお、ウェアラブルカメラ１０では、ＭＣＵ１９は、ＬＥＤ２６ａ〜２６ｃの少なくとも一部を、保存された録画開始トリガに応じて点灯させてもよい。例えば録画開始トリガに応じて、点灯時間を変更し、点滅方法を変更し、又は点灯される色を変更してもよい。
【０１５２】
これにより、ウェアラブルカメラ１０を所持する警察官７は、ＬＥＤ２６ａ〜２６ｄを確認することで、自主的な操作を行わずに録画が開始されたこと、及び録画開始トリガを容易に認識できる。
【０１５３】
このように、ウェアラブルカメラ１０の属性情報付与動作によれば、録画した直後、又は録画している間に属性情報を容易に付与でき、録画された映像データに対してメタ情報を保存できる。従って、例えば警察官７がウェアラブルカメラ１０により撮像した現場８から離れて、後で警察署５内の署内ＰＣ７１などで属性情報を付与し、メタ情報を編集する必要がない。つまり、警察官７が映像データを再生しながら種別を判断し、属性情報やメタ情報の入力作業を行う必要がなく、属性情報やメタ情報を入力するための時間及び手間を削減できる。また、属性情報やメタ情報が未入力の映像データが溜まることを抑制でき、個々の映像データの確認に要する手間を省略でき、映像データの種別の判断及び属性情報やメタ情報の入力にかかる労力を低減できる。
【０１５４】
更に、ウェアラブルカメラ１０は、メタ情報に含まれる録画開始トリガの情報を保持することで、例えば署内ＰＣ７１、車載管理ＰＣ６３、又は携帯端末（不図示）により、車載カメラシステム６０と連動してウェアラブルカメラ１０が録画開始したことを録画後に確認できる。
【０１５５】
以上により、本実施形態のウェアラブルカメラシステムでは、警察官７が装着可能なウェアラブルカメラ１０は撮像エリア（例えば事件又はパトロールに関する現場）の映像を撮像し、警察官７が乗車するパトカー６に搭載され、かつウェアラブルカメラ１０との間で相互に接続された車載レコーダ６２は車載カメラ６１により撮像された同撮像エリアの映像を撮像する。録画開始要求があると（例えばウェアラブルカメラ１０が録画スイッチＳＷ１の短押しにより録画開始要求を車載レコーダ６２に送信すると）、車載レコーダ６２は、車載カメラ６１により撮像された映像データの録画開始をＳＳＤ１１１へ指示し、更にほぼ同時刻に録画開始指示をウェアラブルカメラ１０に送信する。ウェアラブルカメラ１０は、録画開始指示を受信すると、ウェアラブルカメラ１０により撮像された映像データの録画を開始する。
【０１５６】
これにより、本実施形態のウェアラブルカメラシステムは、パトカー６に設置された車載カメラ６１により撮像された固定アングルの画角に含まれる現場の映像データの録画と、警察官７が装着したウェアラブルカメラ１０により撮像された可変アングルの画角に含まれる現場の映像データの録画とをほぼ同時に行うことが可能となり、同時刻における広範な現場の状況の映像データを記録できる。従って、ウェアラブルカメラシステムは、ウェアラブルカメラ１０や車載カメラ６１により撮像した映像データを取扱う上での利便性を向上し、広範な現場の状況を映像データとして録画することができる。
【０１５７】
また、車載レコーダ６２は、録画停止要求があると（例えばウェアラブルカメラ１０が録画スイッチＳＷ１の長押しにより録画停止要求を車載レコーダ６２に送信すると）、車載レコーダ６２は、車載カメラ６１により撮像された映像データの録画停止をＳＳＤ１１１へ指示し、更にほぼ同時刻に録画停止指示をウェアラブルカメラ１０に送信する。ウェアラブルカメラ１０は、録画停止指示を受信すると、ウェアラブルカメラ１０により撮像された映像データの録画を停止する。
【０１５８】
これにより、本実施形態のウェアラブルカメラシステムは、パトカー６に設置された車載カメラ６１により撮像された固定アングルの画角に含まれる現場の映像データの録画停止と、警察官７が装着したウェアラブルカメラ１０により撮像された可変アングルの画角に含まれる現場の映像データの録画停止とをほぼ同時に行うことが可能となり、アングルが異なる複数の映像データの開始時刻及び終了時刻が同時刻にできた、広範な現場の状況の映像データを記録できる。
【０１５９】
また、車載レコーダ６２からウェアラブルカメラ１０に送信される録画開始指示には、車載レコーダ６２における録画開始指示の送信時刻が含まれる。ウェアラブルカメラ１０は、撮像された映像データに関する属性情報の付与操作があると、映像データの識別情報と属性情報と映像データの録画に対応する録画開始指示の送信時刻とを対応付けて記憶部１５に保存する。車載レコーダ６２は、映像データの識別情報と映像データの録画に対応する録画開始指示の送信時刻と同一の時刻とを対応付けてＳＳＤ１１１に保存する。これにより、本実施形態のウェアラブルカメラシステムは、ウェアラブルカメラ１０、車載レコーダ６２それぞれに保存された録画映像リストの録画開始指示の送信時刻を基に、ウェアラブルカメラ１０により撮像された映像データと車載カメラ６１により撮像された映像データとをほぼ同時刻に録画されたことを示すことができる。
【０１６０】
また、ウェアラブルカメラ１０は、録画スイッチＳＷ１の押下操作を検出した時に、録画開始要求を生成して車載レコーダ６２に送信してもよい。これにより、ウェアラブルカメラ１０は、警察官７の主体的な意思の下で操作されたことで録画開始要求を生成でき、車載レコーダ６２に録画開始要求を伝達できる。
【０１６１】
また、パトカー６は、例えば緊急状態を報知するパトライト（登録商標）ＰＴＬを有し、車載レコーダ６２は、パトライト（登録商標）ＰＴＬの点灯開始を検出した時に、録画開始要求を生成して車載レコーダ６２に送信してもよい。これにより、車載レコーダ６２は、警察官７が緊急状態であるとの主体的な意思判断の下でパトライト（登録商標）ＰＴＬが点灯操作や消灯操作されたことで録画開始要求や録画停止要求を取得でき、ウェアラブルカメラ１０に録画開始指示や録画停止指示を伝達できる。
【０１６２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【０１６３】
録画開始要求は、例えばボタン１０９の押下検出、速度センサによるパトカー６の走行速度が所定速度（例えば１００ｋｍ／ｈ）以上であることの検出、加速度センサによる衝撃の検出（つまり所定閾値以上の加速度の変化の検出）、無線通信部１０２によるウェアラブルカメラ１０との通信が不能な通信圏外であることの検出、を含む。
【産業上の利用可能性】
【０１６４】
本発明は、ウェアラブルカメラや車載カメラにより撮像した映像データを取扱う上での利便性を向上し、広範な現場の状況を映像データとして録画するウェアラブルカメラシステム及び録画制御方法等として有用である。
【符号の説明】
【０１６５】
１００  ウェアラブルカメラシステム
１００Ａ  フロントエンドシステム
１００Ｂ  バックエンドシステム
５  警察署
６  パトカー
７  警察官
８  現場
１０  ウェアラブルカメラ
１０Ａ  筐体
１１  撮像部
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２２ａ  ＵＳＢコネクタ
２３  コンタクトターミナル
２４  電源部
２５  バッテリ
２６ａ，２６ｂ，２６ｃ  ＬＥＤ
２７  バイブレータ
６０  車載カメラシステム
６１  車載カメラ
６２  車載レコーダ
６３  車載管理ＰＣ
７０  管理ソフトウェア
７１  署内ＰＣ
１０１  ＣＰＵ
１０２  無線通信部
１０３  有線通信部
１０４  フラッシュＲＯＭ
１０５  ＲＡＭ
１０６  μＣＯＮ
１０７  ＧＰＳ
１０８  ＧＰＩＯ
１０９  ボタン
１１０  ＬＥＤ
１１１  ＳＳＤ
１１２  ＲＳ−２３２Ｃ接続部
２０１  ＣＰＵ
２０２  Ｉ／Ｏ制御部
２０３  通信部
２０４  メモリ
２０５  入力部
２０６  表示部
２０７  スピーカ
２０８  ＨＤＤ
ＳＶ１，ＳＶ２，ＳＶ３  サーバ
ＳＷ１  録画スイッチ
ＳＷ２  スナップショットスイッチ
ＳＷ３  属性情報付与スイッチ
ＳＷ４  属性選択スイッチ
ＳＷ５  通信モードスイッチ
ＳＷ６  インジケータスイッチ 
【図１】
2016219964.tif 000003
【図２】
2016219964.tif 000004
【図３】
2016219964.tif 000005
【図４】
2016219964.tif 000006
【図５】
2016219964.tif 000007
【図６】
2016219964.tif 000008
【図７】
2016219964.tif 000009
【図８】
2016219964.tif 000010
【図９】
2016219964.tif 000011
【図１０】
2016219964.tif 000012
【図１１】
2016219964.tif 000013
【図１２】
2016219964.tif 000014
【図１３】
2016219964.tif 000015
【図１４】
2016219964.tif 000016
【図１５】
2016219964.tif 000017
【図１６】
2016219964.tif 000018